【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
メモリ・デバイスの少なくとも２つのセクターにおけるデータ・エンティティを格納するステップであって、該少なくとも２つのセクターは、該データ・エンティティと結びついているステップと、
メモリ・コントローラが、前記メモリ・デバイスの前記少なくとも2つのセクターのうちの少なくとも1つへの、少なくとも１つのポインターを含む前記データ・エンティティのコンテキスト情報を維持するステップと、
前記コンテキスト情報に基づいて、前記メモリ・デバイスの前記少なくとも2つのセクターのうちの１つ以上を消去するステップを含む方法。
【請求項２】
前記メモリ・コントローラにおいて、前記少なくとも２つのセクターの前記１つ以上を、前記メモリ・デバイスから消去する信号を受信するステップを更に含む請求項１に記載の方法。
【請求項３】
前記信号は、前記データ・エンティティと結びついている少なくとも１つのコンテキスト識別子を含む、請求項２に記載の方法。
【請求項４】
前記メモリ・デバイスの前記少なくとも２つのセクターは、第１のセクターと第２のセクターを含み、
前記ポインターは、少なくとも、前記メモリ・デバイスの前記少なくとも２つのセクターのうちの前記第２のセクターの論理アドレスを示している開始アドレスを含む、請求項１または２に記載の方法。
【請求項５】
前記メモリ・デバイスの前記少なくとも２つのセクターは、第１のセクターと第２のセクターを含み、
前記ポインターは、少なくとも、前記メモリ・デバイスの前記少なくとも２つのセクターのうちの前記第２のセクターの物理アドレスを示している開始アドレスと、を含む、請求項１または２に記載の方法。
【請求項６】
前記信号は、前記コンテキスト情報と結びついたコンテキスト識別子を含む、請求項２に記載の方法。
【請求項７】
前記信号は、少なくとも、前記コンテキスト情報と結びついたグループ番号を含む、請求項２に記載の方法。
【請求項８】
前記少なくとも２つのセクターを前記コンテキスト情報と結びつける連想コマンドを受信するステップを更に含む請求項１、２、４または５に記載の方法。
【請求項９】
前記少なくとも２つのセクターのうちの前記１つ以上を消去する前記信号に応じて、前記メモリ・デバイスの前記少なくとも２つのセクターを消去するステップを更に含む請求項６に記載の方法。
【請求項１０】
前記メモリ・デバイスの前記少なくとも２つのセクターは、第１のセクターと第２のセクターを含み、
前記方法は、前記メモリ・コントローラが、少なくとも、前記第１のセクターおよび前記第２のセクターの両方を消去する第１の信号を生成するステップを更に含む、請求項１ないし９のいずれか１項に記載の方法。
【請求項１１】
メモリ・デバイスと、外部ホストと通信し、前記メモリ・デバイスと通信するように構成されたメモリ・コントローラと、を備えるメモリ・モジュールであって、
前記メモリ・コントローラは、
前記メモリ・デバイスの少なくとも２つのセクターにおけるデータ・エンティティを格納することであって、該少なくとも２つのセクターは、該データ・エンティティと結びついている、格納することと、
前記データ・エンティティのコンテキスト情報を維持することであって、該コンテキスト情報は、少なくとも前記メモリ・デバイスの前記少なくとも２つのセクターのうちの少なくとも１つへのポインターを含む、維持することと、
前記コンテキスト情報に基づいて、前記メモリ・デバイスの前記少なくとも２つのセクターのうちの１つ以上を消去することと、
を行うように構成される、
メモリ・モジュール。
【請求項１２】
前記メモリ・コントローラは、前記メモリ・デバイス１２２から、前記少なくとも２つのセクターのうちの前記１つ以上を消去する信号を受信するように更に構成される、請求項１１に記載のメモリ・モジュール。
【請求項１３】
前記信号は、前記データ・エンティティと結びついている少なくとも１つのコンテキスト識別子を含む、請求項１２に記載のメモリ・モジュール。
【請求項１４】
前記少なくとも２つのセクターは、
−  消去ブロック、
−  書き込みブロック、
−  ページ、
−  スーパー・ページ、
−  ハードディスクのセクター、
のうちの少なくとも１つを含む、請求項１１ないし１３のいずれか１項に記載のメモリ・モジュール。
【請求項１５】
前記メモリ・モジュールは、
−  埋め込み型マルチメディアカード（ｅＭＭＣ：Ｅｍｂｅｄｄｅｄ  ＭｕｌｔｉＭｅｄｉａＣａｒｄ）、
−  メモリーカード（ＳＤ）、
−  アドバンスト・テクノロジー・アタッチメント（ＡＴＡ）、および、
−  ユニバーサル・フラッシュ・ストレージ（ＵＦＳ：Ｕｎｉｖｅｒｓａｌ  Ｆｌａｓｈ  Ｓｔｏｒａｇｅ）
のうちの少なくとも１つを含む、
請求項１１ないし１４のいずれか１項に記載のメモリ・モジュール。
【請求項１６】
前記信号は、前記コンテキスト情報と結びついた少なくとも１つのコンテキスト識別子を含む、請求項１２に記載のメモリ・モジュール。
【請求項１７】
前記信号は、前記コンテキスト情報と結びついた少なくとも１つのグループ番号を含む、請求項１２に記載のメモリ・モジュール。
【請求項１８】
前記メモリ・コントローラは、前記少なくとも２つのセクターを前記コンテキスト情報と結びつける連想コマンドを受信するように更に構成される、請求項１１、１２、１４または１５に記載のメモリ・モジュール。
【請求項１９】
前記メモリ・コントローラは、前記少なくとも２つのセクターのうちの前記１つ以上を消去する前記信号に応答して、前記メモリ・デバイスの前記少なくとも２つのセクターを消去するように更に構成される、請求項１６に記載のメモリ・モジュール。
【請求項２０】
前記メモリ・デバイスの前記少なくとも２つのセクターは、第１のセクターと第２のセクターを含み、
前記ポインターは、少なくとも、前記メモリ・デバイスの前記少なくとも２つのセクターのうちの前記第２のセクターの論理アドレスを示している開始アドレスを含む、
請求項１１に記載のメモリ・モジュール。
【請求項２１】
前記メモリ・デバイスの前記少なくとも２つのセクターは、第１のセクターと第２のセクターを含み、
前記ポインターは、少なくとも、前記メモリ・デバイスの前記少なくとも２つのセクターのうちの前記第２のセクターの物理アドレスを示している開始アドレスを含む、
請求項１１に記載のメモリ・モジュール。
【請求項２２】
コンピュータ実行可能プログラムコードを含むコンピュータ読取り可能媒体の上で具体化されたコンピュータ・プログラムであって、
該コンピュータ実行可能プログラムコードは、
メモリ・モジュールの少なくとも１つのコントローラによって実行されるとき、該メモリ・モジュールに、メモリ・デバイスの少なくとも２つのセクターにおけるデータ・エンティティを格納することであって、該少なくとも２つのセクターは、該データ・エンティティと結びついている、ことと、
前記データ・エンティティのコンテキスト情報を維持することであって、該コンテキスト情報が前記メモリ・デバイスの前記少なくとも２つのセクターのうちの少なくとも１つへの、少なくとも１つのポインターを含む、維持することと、
前記コンテキスト情報に基づいて、前記メモリ・デバイスの前記少なくとも２つのセクターのうちの１つ以上を消去することと、をさせる、コンピュータ・プログラム。
【請求項２３】
メモリ・モジュールと通信するように構成されるホスト・コントローラであって、
該ホスト・コントローラは、前記メモリ・モジュールに、
前記メモリ・モジュールの少なくとも２つのセクターにおけるデータ・エンティティを格納することであって、該少なくとも２つのセクターは、該データ・エンティティと結びついており、該データ・エンティティは、該データ・エンティティへのすべての書き込みに対して使用されるコンテキスト識別子と結びついている、格納することと、
信号を前記メモリ・モジュールに送信することであって、該信号は、前記メモリ・モジュールから前記少なくとも２つのセクターのうちの１つ以上を消去することを示し、前記信号は、前記データ・エンティティの前記コンテキスト識別子を含む、送信することと
をさせるように更に構成される、ホスト・コントローラ
を備えるホスト・デバイス。
【請求項２４】
前記ホスト・コントローラは、前記メモリ・モジュールに、前記メモリ・モジュールに格納されたファイル・アロケーション・テーブルからデータ・エンティティ・エントリを削除させるように更に構成され、
前記データ・エンティティ・エントリは、前記メモリ・モジュールの前記少なくとも２つのセクターと結びついている、請求項２３に記載のホスト・デバイス。
【請求項２５】
前記ホスト・コントローラは、外部ホスト・アプリケーションから削除信号を受信し、
前記削除信号に応答して、前記メモリ・モジュールに、前記データ・エンティティ・エントリを削除させるように更に構成される、請求項２３に記載のホスト・デバイス。
【請求項２６】
前記信号は、
−  ＥＲＡＳＥ、
−  ＴＲＩＭ、
−  ＳｅｃｕｒｅＴＲＩＭ、
−  ＳｅｃｕｒｅＥｒａｓｅ、
−  ＤＩＳＣＡＲＤ、
−  Ｓａｎｉｔｉｚｅ、および、
−  Ｕｎｍａｐ
のコマンドの少なくとも１つを含む、請求項２３に記載のホスト・デバイス。